(57)【要約】【課題】例えば建物用の制震パネルによる効果を、特別な知識のない一般の人にも容易に理解してもらうことができるようにする。【解決手段】  模型制震パネル１を挟む一方の側に加力用振り子３が備えられ、もう一方の側に受力用振り子４が備えられ、加力用振り子３の質量体３ａを振り子運動させて制震パネル１を打撃すると、加力用振り子３はエネルギーを失って停止し、そのエネルギーの一部が制震パネル１に吸収され、残るエネルギーが受力用振り子４の質量体４ａに伝えられて、受力用振り子４が加力用振り子３の振幅よりも小さい振幅で振り子運動するようになされている。【選択図】      図１
2008256949.tif 000002
【特許請求の範囲】
【請求項１】
制震機構部を備えた制震構造又はその模型構造を挟む一方の側に加力用の振り子が備えられると共に、もう一方の側に受力用の振り子が備えられ、受力用振り子の質量体は前記制震構造又はその模型構造に接触状態に配置され、加力用振り子の質量体を振り子運動させて制震構造又はその模型構造を打撃すると、該加力用振り子はエネルギーを失って振り子運動を停止し、そのエネルギーの一部が制震構造又はその模型構造の制震機構部に吸収され、残るエネルギーが受力用振り子の質量体に伝えられて、該受力用振り子が前記加力用振り子の振幅よりも小さい振幅で振り子運動するようになされており、かつ、
加力用振り子の振幅の大きさが地震等による震動の大きさを表すものであり、受力用振り子の振幅の大きさがその震動力によって動かされる程度を表すものであることの情報を見る者に伝える手段が備えられていることを特徴とする制震構造の制震性能表現装置。
【請求項２】
比較用の耐震構造又はその模型構造が備えられ、加力用振り子の質量体を振り子運動させて該耐震構造又はその模型構造を打撃すると、該加力用振り子はエネルギーを失って振り子運動を停止し、そのエネルギーが耐震構造又はその模型構造を通じて受力用振り子の質量体に伝えられて、該受力用振り子が前記制震構造又はその模型構造の場合の受力用振り子の振幅よりも大きい振幅で振り子運動するようになされている請求項１に記載の制震構造の制震性能表現装置。
【請求項３】
前記制震構造の模型構造が建物用制震パネルの模型制震パネルからなり、該模型制震パネルはその下端部を固定され、フリーな上端部の左右一方の側に加力用振り子の質量体が備えられると共に、左右もう一方の側に受力用振り子の質量体が備えられている請求項１又は２に記載の制震性能表現装置。
【請求項４】
制震機構部を備えた制震構造又はその模型構造を挟む一方の側に加力用の振り子が備えられると共に、もう一方の側に受力用の振り子が備えられ、受力用振り子の質量体は前記制震構造又はその模型構造に接触状態に配置され、加力用振り子の質量体を振り子運動させて制震構造又はその模型構造を打撃すると、該加力用振り子はエネルギーを失って振り子運動を停止し、そのエネルギーの一部が制震構造又はその模型構造の制震機構部に吸収され、残るエネルギーが受力用振り子の質量体に伝えられて、該受力用振り子が前記加力用振り子の振幅よりも小さい振幅で振り子運動するようになされた制震構造の制震性能表現装置を用い、
加力用振り子の振幅の大きさが地震等による震動の大きさを表すものであり、受力用振り子の振幅の大きさがその震動力によって動かされる程度を表すものであるという認識をもってもらったうえで、加力用振り子と受力用振り子の一連の動きを見てもらうことを特徴とする制震構造の制震性能表現方法。
【発明の詳細な説明】
【技術分野】
【０００１】
本発明は、制震パネル等の制震構造の制震性能表現装置及び表現方法に関する。
【背景技術】
【０００２】
例えば、住宅用戸建て建物等に制震パネルを用いた場合の効果を、建物の購入予定者などの一般の人に容易に理解してもらえるよう表現することは、なかなか難しいという問題がある。
【特許文献１】特開平１１−１６１１４８号公報
【発明の開示】
【発明が解決しようとする課題】
【０００３】
本発明は、上記のような問題点に鑑み、例えば上記のような制震パネルなどの制震構造による効果を、特別な知識のない一般の人にも、容易に理解してもらうことができるよう表現することができる装置及び方法を提供することを課題とする。
【課題を解決するための手段】
【０００４】
上記の課題は、制震機構部を備えた制震構造又はその模型構造を挟む一方の側に加力用の振り子が備えられると共に、もう一方の側に受力用の振り子が備えられ、受力用振り子の質量体は前記制震構造又はその模型構造に接触状態に配置され、加力用振り子の質量体を振り子運動させて制震構造又はその模型構造を打撃すると、該加力用振り子はエネルギーを失って振り子運動を停止し、そのエネルギーの一部が制震構造又はその模型構造の制震機構部に吸収され、残るエネルギーが受力用振り子の質量体に伝えられて、該受力用振り子が前記加力用振り子の振幅よりも小さい振幅で振り子運動するようになされており、かつ、
加力用振り子の振幅の大きさが地震等による震動の大きさを表すものであり、受力用振り子の振幅の大きさがその震動力によって動かされる程度を表すものであることの情報を見る者に伝える手段が備えられていることを特徴とする制震構造の制震性能表現装置によって解決される（第１発明）。
【０００５】
また、制震機構部を備えた制震構造又はその模型構造を挟む一方の側に加力用の振り子が備えられると共に、もう一方の側に受力用の振り子が備えられ、受力用振り子の質量体は前記制震構造又はその模型構造に接触状態に配置され、加力用振り子の質量体を振り子運動させて制震構造又はその模型構造を打撃すると、該加力用振り子はエネルギーを失って振り子運動を停止し、そのエネルギーの一部が制震構造又はその模型構造の制震機構部に吸収され、残るエネルギーが受力用振り子の質量体に伝えられて、該受力用振り子が前記加力用振り子の振幅よりも小さい振幅で振り子運動するようになされた制震構造の制震性能表現装置を用い、
加力用振り子の振幅の大きさが地震等による震動の大きさを表すものであり、受力用振り子の振幅の大きさがその震動力によって動かされる程度を表すものであるという認識をもってもらったうえで、加力用振り子と受力用振り子の一連の動きを見てもらうことを特徴とする制震構造の制震性能表現方法によって解決される（第２発明）。
【０００６】
これらの装置や方法では、見る者に、加力用振り子の振幅の大きさが地震等による震動の大きさを表すものであり、受力用振り子の振幅の大きさがその震動力によって動かされる程度を表すものであるという認識をもってもらったうえで、加力用振り子と受力用振り子の一連の動きを視覚的に見てもらうことで、見た者は、制震構造を採用することで、地震等による震動力で動かされる程度を小さくすることができるようになるという認識を視覚を通じてリアルにもつことができ、その認識を通じて、制震構造による効果を、特別な知識のない一般の人にも、容易に理解してもらうことができる。
【０００７】
しかも、加力用振り子と受力用振り子とを用いた構造とし、それぞれに上記のような役割をもたせるようにしているので、例えば、制震材料をボールにし、このボールの跳ね方を見てもらう、即ち、一つのボールに、地震等による震動の大きさを表す機能と、その震動力によって動かされる程度を表す機能を併せもたせるような表現方法に比べて、見る者に、制震構造による効果を認識しやすいものにすることができる。
【０００８】
第１，第２発明において、比較用の耐震構造又はその模型構造が備えられ、加力用振り子の質量体を振り子運動させて該耐震構造又はその模型構造を打撃すると、該加力用振り子はエネルギーを失って振り子運動を停止し、そのエネルギーが耐震構造又はその模型構造を通じて受力用振り子の質量体に伝えられて、該受力用振り子が前記制震構造又はその模型構造の場合の受力用振り子の振幅よりも大きい振幅で振り子運動するようになされているとよい（第３発明）。
【０００９】
この場合は、比較用の耐震構造又はその模型構造における加力用振り子と受力用振り子の一連の動きを視覚的に見てもらうことで、見た者は、耐震構造を採用することで、地震等による震動力で動かされる程度は制震構造又はその模型構造と比べて大きいという認識を視覚を通じてリアルにもつことができ、その認識を通じて、制震構造と耐震構造との違いを、特別な知識のない一般の人にも、容易に理解してもらうことができる。
【００１０】
第１〜第３発明において、前記制震構造の模型構造が建物用制震パネルの模型制震パネルからなり、該模型制震パネルはその下端部を固定され、フリーな上端部の左右一方の側に加力用振り子の質量体が備えられると共に、左右もう一方の側に受力用振り子の質量体が備えられているのもよい（第４発明）。
【００１１】
この場合は、見る者に、受力用振り子の質量体が建物であるという認識をもってもらったうえで、加力用振り子と受力用振り子の一連の動きを見てもらうことにより、見た者は、制震パネルを建物に採用することで、地震等による震動力で建物が動かされる程度を小さくすることができるようになるという認識を視覚を通じてリアルにもつことができ、その認識を通じて、建物に制震パネルを採用することによる効果を、特別な知識のない一般の人にも、容易に理解してもらうことができる。
【発明の効果】
【００１２】
本発明は、以上のとおりのものであるから、制震パネルなどの制震構造による効果を、特別な知識のない一般の人にも、容易に理解してもらうことができるよう表現することができる。
【発明を実施するための最良の形態】
【００１３】
次に、本発明の実施最良形態を図面に基づいて説明する。
【００１４】
図１に示す実施形態の制震性能表現装置において、１は建物用の制震パネルの模型、２は比較用の耐震パネルの模型、３は加力用振り子、４は受力用振り子である。
【００１５】
模型制震パネル１は、図２（イ）に示すように、方形環状のフレーム５の上部側に上剛体６がフレーム５内に垂れ下がり状態に固定で設けられると共に、フレーム５の下部側に下剛体７がフレーム５内に立ち上がり状態に固定で設けられ、これら上下の剛体６，７を、制震機構部としての制震デバイス８を介してジョイントしたもので、制震デバイス８は、図２（ハ）に示すように、上剛体６側に固定のプレート８ａと、下剛体７側に固定のプレート８ｂと、これらプレート８ａ，８ｂ間にサンドイッチ状態に介設された粘弾性体８ｃとを備え、模型制震パネル１に、図２（ロ）に矢印で示すように、水平力が作用すると、図２（ニ）（ホ）に示すように、粘弾性体８ｃがせん断変形をしてエネルギーを吸収するようになされたものからなっている。
【００１６】
模型耐震パネル２は、図１に示すように、同じく方形環状をした同じサイズのフレーム５内に、耐震機構部としてのブレース９，９がＸ字状に入れられ、それらの端部がフレーム５の四隅部に連結された構造のものからなっている。
【００１７】
そして、これら模型制震パネル１と模型耐震パネル２は、見比べることができるように、ベース１０上に互いに間隔をおいて併設され、下端部がベース１０に固定されている。
【００１８】
加力用振り子３と受力用振り子４は、模型制震パネル１と模型耐震パネル２のそれぞれに対してそれぞれ備えられており、いずれも、球形の質量体３ａ，４ａを糸３ｂ，４ｂで吊り下げた構造のものからなっていて、糸３ｂ，４ｂの上端は、各模型パネル１，２の上方に設けられた天井部１１に連結されている。
【００１９】
そして、各加力用振り子３，３は、各模型パネル１，２の左右一方の側に備えられ、その質量体３ａ，３ａは、各模型パネル１，２のフリーな上端部高さ位置において、パネル１，２の側面部と正対して接触状態又は近接状態となるように備えられている。また、各受力用振り子４，４は、各模型パネル１，２の左右もう一方の側に備えられ、その質量体４ａ，４ａは、各模型パネル１，２のフリーな同じ上端部高さ位置において、パネル１，２の側面部と正対して接触状態となるように備えられている。なお、各振り子３，４の質量体３ａ，４ａの質量は互いに同じで、糸３ｂ，４ｂのスパンも同じに設定されており、また、加力用振り子３の質量体３ａは青、受力用振り子４の質量体４ａは赤に着色されていて、識別しやすいように色が異ならされている。
【００２０】
制震性能の表現は、上記の制震性能表現装置を用いて次のようにして行う。まず、表現を受ける者、例えば、制震技術について特別の知識をもたない者に、青の加力用振り子３の振幅の大きさが地震による震動の大きさを表すものであり、赤の受力用振り子４の振幅の大きさがその地震の震動力によって建物が動かされる程度を表すものであり、受力用振り子４の質量体４ａが建物であるという説明をし、それを予め認識してもらう。
【００２１】
その説明は、制震性能の表現を提供する側、例えば、住宅メーカーの担当者が口頭で行ってもよいし、あるいは、文字板を設置して文字で行ったり、スピーカーを設置して録音の音声で行ったりするなどの情報伝達手段を制震性能表現装置に備えさせることで行われるようにしてもよい。
【００２２】
しかる後、図３（イ）に示すように、まず、模型耐震パネル２について、その加力用振り子３の質量体３ａを、同模型耐震パネル２から側方に所定の距離δｔだけ離間させたのち、その質量体３ａをフリーにする操作を行う。なお、この操作は、表現を受ける者がその質量体３ａを直接触って行うようにしてもよいし、表現を提供する側の人がその質量体３ａを直接触って行うようにしてもよいし、操作用の装置によって行われるようになされていてもよい。
【００２３】
すると、この加力用振り子３は振り子運動を行い、その質量体３ａが、図３（ロ）に示すように、模型耐震パネル２の上端部の側面部を打撃し、該加力用振り子３はエネルギーを失って振り子運動を停止し、そのエネルギーが、模型耐震パネル２を通じて、受力用振り子４の質量体４ａに伝えられ、該受力用振り子４が振り子運動を開始して、その質量体４ａが、模型耐震パネル２から側方に距離δｔ、あるいは、それに近い距離だけ移動する。
【００２４】
加力用振り子３と受力用振り子４のこの一連の動きを、表現を受ける者に視覚的に見てもらうことで、それを見た者は、耐震パネルを採用することで、地震による震動がほとんどそのまま建物に伝えられてしまうという認識を視覚を通じてリアルにもつことができ、その認識を通じて、耐震構造を、特別な知識のない一般の人にも、容易に理解してもらうことができる。
【００２５】
同時に、耐震パネルを採用することにより、そのような震動を建物が受けても建物はそれに耐えるということも容易に理解してもらうことができる。
【００２６】
また、加力用振り子３と受力用振り子４が振り子運動を繰り返し行うのを見てもらうことにより、耐震パネルでは、建物に伝えられる震動がなかなか減衰しないのを容易に理解してもらうことができる。
【００２７】
もちろん、表現を提供する側が、それらの説明を、口頭や、文字、音声の再生など情報伝達手段により行えば、表現の提供を受ける側に、その意味するところを真に理解してもらうことができる。
【００２８】
次いで、図４（イ）に示すように、模型制震パネル１について、その加力用振り子３の質量体３ａを、同模型耐震パネル２から側方に所定の距離δｔだけ離間させたのち、その質量体３ａをフリーにする操作を行う。この操作についても、表現を受ける者が行うようにしてもよいし、表現を提供する側の人が行うようにしてもよいし、操作用の装置が行うようになされていてもよい。
【００２９】
すると、この加力用振り子３は振り子運動を行い、その質量体３ａが、図４（ロ）に示すように、模型耐震パネル２の上端部の側面部を打撃し、該加力用振り子３はエネルギーを失って振り子運動を停止し、そのエネルギーの一部が模型制震パネル１の制震デバイス８に吸収され、残るエネルギーが受力用振り子４の質量体４ａに伝えられて、該受力用振り子４が振り子運動を開始して、その質量体４ａが、模型制震パネル１から側方に距離δｔよりも小さい距離δｓだけ移動する。
【００３０】
加力用振り子３と受力用振り子４のこの一連の動きを、表現を受ける者に視覚的に見てもらうことで、それを見た者は、制震パネルを採用することで、地震による震動力で建物が動かされる大きさの程度、即ち、建物に伝えられる震動の大きさの程度を小さくすることができるようになるという認識を視覚を通じてリアルにもつことができ、その認識を通じて、制震構造による効果を、特別な知識のない一般の人にも、容易に理解してもらうことができる。
【００３１】
特に、本実施形態では、模型耐震パネル２との比較で表現を行うようになされているので、地震による震動力で建物が動かされる大きさの程度は、制震パネルを採用する場合と耐震パネルを採用する場合とで、後者が前者よりも大きいという認識を視覚を通じてリアルにもつことができ、その認識を通じて、制震構造と耐震構造との違いを、特別な知識のない一般の人にも、容易に理解してもらうことができる。
【００３２】
また、加力用振り子３と受力用振り子４が振り子運動を繰り返し行うのを見てもらうことで、制震パネルを採用することにより、建物に伝えられる震動を早期のうちに減衰させていくことができることを容易に理解してもらうことができ、しかも、それを耐震パネルを採用する場合との比較においてより一層容易に理解してもらうことができる。
【００３３】
もちろん、表現を提供する側が、それらの説明を、口頭や、文字、音声の再生などの情報伝達手段により行えば、表現の提供を受ける側に、その意味するところを真に理解してもらうことができる。
【００３４】
以上に、本発明の実施形態を示したが、本発明はこれに限られるものではなく、発明思想を逸脱しない範囲で各種の変更が可能である。例えば、上記の実施形態では、模型制震パネル１や模型耐震パネル２として、特定構造のものを用いた場合を示したが、異なる構成の耐震機構部や、異なる構成の制震機構部を備えたその他の構造の模型制震パネルや模型耐震パネルが用いられてもよい。
【００３５】
また、上記の実施形態では、振り子として、糸で質量体を吊した構造のものを採用しているが、ベースに立設した弾性棒の上端部に質量体を取り付けた構造のものなど、各種の振り子構造が採用されてよい。
【００３６】
また、上記の実施形態では、模型耐震パネル２の耐震性能の表現を行った後に、模型制震パネル１の制震性能の表現を行う場合を示したが、模型制震パネル１の制震性能の表現を行った後に、模型耐震パネル２の耐震性能の表現を行うようにしてもよいし、また、それらの表現を同時進行で行うようにしてもよい。
【００３７】
また、上記の実施形態では、制震パネルと耐震パネルの各模型を備えさせ、それらを比較して表現する構成とした場合を示したが、制震パネルの模型だけを備えさせて制震パネルの効果を表現する構成にしてもよい。
【００３８】
更に、上記の実施形態では、建物に用いられる制震パネルや耐震パネルの模型を対象とした場合を示したが、制震機構部を備えたその他の制震構造そのものであってもよいしその模型であってもよく、また、耐震構造との比較も行う場合は、耐震機構部を備えたその他の耐震構造そのものであってもよいしその模型であってもよい。
【図面の簡単な説明】
【００３９】
【図１】制震性能表現装置の実施形態を示す断面正面図である。
【図２】図（イ）は模型制震パネルの正面図、図（ロ）はその作動状態を示す正面図、図（ハ）は制震デバイスを示すもので図（イ）のＩ−Ｉ線断面矢視図、図（ニ）及び図（ホ）は制震デバイスの作動状態を示す断面図である。
【図３】図（イ）及び図（ロ）は、同装置における模型耐震パネルの表現方法を示す断面正面図である。
【図４】図（イ）及び図（ロ）は、同装置における模型制震パネルの表現方法を示す断面正面図である。
【符号の説明】
【００４０】
１…模型制震パネル（制震構造の模型）
２…模型耐震パネル（耐震構造の模型）
３…加力用振り子
３ａ…質量体
４…受力用振り子
４ａ…質量体
８…制震デバイス（制震機構部）
【図１】
2008256949.tif 000003
【図２】
2008256949.tif 000004
【図３】
2008256949.tif 000005
【図４】
2008256949.tif 000006